(57)【要約】【課題】  デジタルホワイトボード等を使った会議の記録である会議録を適切に、効率的に作成する。【解決手段】  データを表示画面に表示するよう制御する表示制御ステップと、前記表示画面に表示されている表示データをクリアする指示を受け付ける受付ステップと、  前記受付ステップで指示を受け付けた場合に、前記表示画面に表示されているデータを記憶する記憶ステップと、前記表示画面に表示されている表示データをクリアするクリアステップとを備える。【選択図】  図１
2007066018.tif 000002
【特許請求の範囲】
【請求項１】
データを表示画面に表示するよう制御する表示制御ステップと、
前記表示画面に表示されている表示データをクリアする指示を受け付ける受付ステップと、
前記受付ステップで指示を受け付けた場合に、前記表示画面に表示されているデータを記憶する記憶ステップと、
前記表示画面に表示されている表示データをクリアするクリアステップとを備えたことを特徴とする情報処理方法。
【請求項２】
前記記憶ステップは、前記表示画面に表示されているデータを画像データとして記憶することを特徴とする請求項１記載の情報処理方法。
【請求項３】
使用開始から使用終了までの画面変化の履歴を記録するために、所定の条件に基づいて、前記表示画面に表示されているデータを画像データとして記録していく記録工程を更に備え、
前記記憶ステップで記憶した画像データを、前記クリア直前までの画面変化履歴の代表画像として選択することを特徴とする請求項２記載の情報処理方法。
【請求項４】
請求項１乃至３に記載の情報処理方法をコンピュータに実行させるための制御プログラム。
【請求項５】
データを表示画面に表示するよう制御する表示制御手段と、
前記表示画面に表示されているデータをクリアする指示を受け付ける受付手段と、
前記受付手段で指示を受け付けた場合に、前記表示画面に表示されているデータを記憶する記憶手段と、
前記表示画面に表示されているデータをクリアするクリア手段とを備えたことを特徴とする情報処理装置。
【発明の詳細な説明】
【技術分野】
【０００１】
本発明は、会議録を作成するための情報処理方法に関する。
【背景技術】
【０００２】
従来のリモート会議の会議録作成システムには、参加者の操作履歴を作成しておき、それを再生するものがある。しかし、すべての操作履歴を再生すると冗長であり、効率的に会議の内容を把握することができない。特許文献１では、電子会議の記録をとり、それに対してサーバ上で開始および終了時間を指定し、その時間の中を一定時間ごとにシーンデータを作成し議事録としている。開始や終了の時間が指定されなければ、すべての操作が終了した時点の画面が議事録となる。
【０００３】
特許文献２は、ホワイトボードに書き込まれた画像がスキャンされた時点や、プロジェクタに映像が出力された時点のデータを記録し、会議の参加者の映像や音声とリンク付けして表示する。
【０００４】
また、動画コンテンツを扱うシステムでは、シーンを分割しその代表画像をサムネイルとして表示することで、動画の内部へのアクセスの便宜を図るものがある。特許文献３では、動画コンテンツを画像の変化率をもとにシーンを分割し、そのシーンの中から代表静止画を求めてサムネイルとして表示することで、動画コンテンツの内容へのアクセスを用意にしている。
【特許文献１】特開平０８−２９７６２４号公報
【特許文献２】特開２００１−３３１６１４号公報
【特許文献３】特開２００２−３３５４７３号公報
【発明の開示】
【発明が解決しようとする課題】
【０００５】
特許文献１は、会議記録に対して、サーバ上でユーザが開始と終了を指定し、議事録とすべき代表画面をその中の一定時間ごとに取り出すものであり、会議の参加者が行う操作によって作成されるものではない。議事録を作成するにあたっては、ユーザがサーバ上で後処理を行う必要がある。また、作成された議事録は、シーンデータだけのイメージデータか、シーンデータにそれ以後の音声データを付与したハイパーメディアカードであり、そこから会議の記録を再生することはできない。
【０００６】
特許文献２は、取り込まれた画像を記録するものであり、会議録中で画像が変更されて行く過程については記録・再生できない。
【０００７】
特許文献３は、動画コンテンツのシーンを分割するための処理の負荷が大きい。
【０００８】
本発明は、上述した課題を解決するためになされたもので、会議の議事録として適切なデータを、効率的に取得することを目的とする。
【課題を解決するための手段】
【０００９】
本発明は、上述した目的と達成するために、データを表示画面に表示するよう制御する表示制御ステップと、前記表示画面に表示されている表示データをクリアする指示を受け付ける受付ステップと、前記受付ステップで指示を受け付けた場合に、前記表示画面に表示されているデータを記憶する記憶ステップと、前記表示画面に表示されている表示データをクリアするクリアステップとを備えたことを特徴とする。
【発明の効果】
【００１０】
本発明により、会議の議事録として適切なデータを、効率的に取得することが可能となった。
【発明を実施するための最良の形態】
【００１１】
以下、図面を参照しながら本発明の好適な実施例について説明していく。
【実施例１】
【００１２】
本実施例では、本発明に係る会議録作成方法を情報処理装置が実行する例をあげて説明する。図１は、実施例１の情報処理装置のブロック図である。１０１はスタイラスペン、マウス、キーボードなどを使った操作入力部である。１０２は操作入力部１０１からの入力を受け入れて内部のデータや画像の処理を行う操作処理部である。１０３は画像等を表示する画像表示部である。１０４は操作履歴を蓄積する操作履歴蓄積部である。１０５は代表画像を蓄積する代表画像蓄積部である。
【００１３】
図２は、本実施例の情報処理装置のハードウェア構成を示すブロック図である。２０１はＣＰＵで、ＲＯＭ２０２に記憶された制御プログラム、或いはＨＤＤ２０４からＲＡＭ２０３にロードされた制御プログラムに従って、本実施例の情報処理装置における各種制御を行う。ＲＯＭ２０２は、各種パラメータやＣＰＵ２０１が実行する制御プログラムなどを格納している。ＲＡＭ２０３は、ＣＰＵ２０１による各種制御の実行時に作業領域を提供するとともに、ＣＰＵ２０１により実行される制御プログラムを記憶する。ＨＤＤ２０４は、各種データやプログラムが記憶されている。２０５は入力部であり、キーボード、マウス等のポインティングデバイスを有している。２０６は液晶やＣＲＴ等の表示部で、ＣＰＵ２０１の制御により各種データの表示を行う。
【００１４】
図１の操作入力部は図２の入力部２０５にあたり、画像表示部１０３は表示部２０６にあたる。また操作処理部１０２は、ＣＰＵ２０１にあたり、操作履歴蓄積部１０４、代表画像蓄積部１０５はＲＯＭ２０２、ＲＡＭ２０３、ＨＤＤ２０４のいずれかにあたる。
【００１５】
図３は、実施例１の処理を示すフローチャートである。該フローチャートを実行するための制御プログラムは、ＲＯＭ２０２やＨＤＤ２０４に格納されており、ＣＰＵ２０１の制御のもと実行される。図４、図５は会議録の表示例であり、図６は再生の処理を示すフローチャート、図７は再生の例を示すものである。
【００１６】
図３は会議の開始から終了までの動作を示す。会議の開始をスタートとするが、会議開始操作を別に設けてもよい。Ｓ３０１では、操作入力部１０１で、スタイラスペンなどによるユーザからの操作入力を受け付ける。Ｓ３０２では、操作処理部１０２で、Ｓ３０１で受け付けた操作が会議終了であるかの判定を行い、会議終了であれば終了する。会議終了でない場合は、Ｓ３０３でその操作が会議録再生かどうかの判定を行う。会議録の再生であれば、Ｓ３０４で再生モードに入り、Ｓ３０８へ進む。再生モードについては後述する。
【００１７】
Ｓ３０３で操作が会議録の再生でない場合には、Ｓ３０５で操作が画面クリアであるかどうか判定する。画面クリアならばＳ３０６へ進み、クリアする直前の画面を代表画面として作成し、代表画像蓄積部１０５に蓄積する。そしてＳ３０７へ進み画面をクリアする。Ｓ３０５で画面クリアでない場合とした場合はＳ３０８へ進む。
【００１８】
Ｓ３０８では操作履歴を作成する。操作履歴は、「会議終了」「会議録再生」「画面クリア」のほかに、手書き入力、文字・図形入力、ドキュメントのオープンや編集などが含まれる。作成された操作履歴は操作履歴蓄積部１０４に蓄積する。次にＳ３０９で実際の操作の実行が行われ、Ｓ３１０で画像表示部１０３の画像が更新され、Ｓ３０１にもどって次の操作入力の受け入れを行う。
【００１９】
図４は代表画面をサムネイルにして会議録全体を表示した例である。ユーザは下部にあるタイムスケールを使用して、再生すべき時間の範囲を指定する。
【００２０】
図５は代表画面を順次表示する場合の代表画面の表示例である。ユーザは下部にあるタイムスケールを使用して、再生すべき時間の範囲を指定できる。この時間範囲は、代表画面が代表する時間帯に限定される。
【００２１】
図３のＳ３０４の再生モードは、図４もしくは図５のような再生画面を表示して、再生のプロセスを起動するものである。再生を行う前の範囲指定や再生開始の操作については、図３のフローチャート中のＳ３０８の操作処理に含まれる。再生処理は、図３の処理とは別プロセスで実行し、図３のプロセスからの再生停止や再開や終了などの割り込みを受け入れる。
【００２２】
図６は再生を行った場合の処理のフローチャートである。再生開始の操作を受けてスタートする。Ｓ６０１で再生範囲を確定する。ユーザが範囲を指定していない場合は、該当するタイムスケールの最初から最後を範囲とする。Ｓ６０２で指定された開始時間より前の画面クリアから指定された開始時間までの操作履歴を順次参照する。Ｓ６０３で操作履歴があると判定された場合にはＳ６０４でその操作を処理し順次繰り返す。Ｓ６０３で操作履歴がないと判断された時点でＳ６０５に進み、画像を更新して再生開始時点の画像を再現する。ここまでの変更過程はユーザに見えない。なお、ユーザが時間範囲を指定しないで再生された場合、開始画像は画面がクリアされた直後の状態になる。Ｓ６０６で選択範囲内の履歴を順次参照する。Ｓ６０７で履歴が終了し、再生終了時に到達したと判断された時点で再生処理は終了する。履歴が存在する間は、Ｓ６０８で操作処理を行い、Ｓ６０９で画像を更新し、Ｓ６０６へ戻り、処理を繰り返す。再生終了時には、再生が行われた時間範囲の最後の画像が表示されていることになる。再生処理が終了した場合、再生モードの終了の割り込みを待ってもよいし、自動で再生モードを終了してもよい。
【００２３】
なお、再生スピードは、操作履歴の中の実行時間を参照しながら実行時と同じスピードで再現するが、倍速再生などの高速度再生を行ってもよい。
【００２４】
図７は、図５の再生画面において再生を行った場合の途中の再生画面の例である。下部のタイムスケールの灰色の部分が全体の時間の中でのどの時間帯の画面かを示す。７０１は会議を開始し、サブ項目を記述し、カレンダーを呼び出した時点の画面を示し、７０２はそれより後のいくつかの書き込みを行った時点での画面を示す。
【００２５】
画面クリア操作を行った時点は、議題の変化点であると想定できるため、上述したように、画面クリア直前の画像を記憶することで、会議録として適切な画像を取得することが可能となる。またその画像をクリア操作の直前までの時間の代表画像とすることで、システム側にはシーン分割のための画像処理の負荷がなく、会議の参加者には意識せずに会議録の代表画像の選定指示が行えるという利点もある。
【実施例２】
【００２６】
図８は、実施例２の情報処理装置のブロック図である。該情報処理装置のハードウェア構成は図２と同様である。８０１はスタイラスペン、マウス、キーボードなどを使った操作入力部である。８０２は操作入力部８０１からの入力を受け入れて内部のデータや画像の処理を行う操作処理部である。８０３は画像等を表示する表示部である。８０４は操作履歴を蓄積する操作履歴蓄積部である。８０５は代表画像を蓄積する代表画像蓄積部である。８０６は重要項目の選択履歴を蓄積する重要項目履歴蓄積部である。
【００２７】
図９は、実施例２の処理を示すフローチャートである。該フローチャートを実行するための制御プログラムは、ＲＯＭ２０２やＨＤＤ２０４に格納されており、ＣＰＵ２０１の制御のもと実行される。図１０は会議録の表示例であり、図１１は再生の処理を示すフローチャート、図１２は再生の例を示すものである。
【００２８】
図９は会議の開始から終了までの動作を示す。会議の開始をスタートとするが、会議開始操作を別に設けてもよい。Ｓ９０１では、操作入力部８０１で、スタイラスペンなどによるユーザからの操作入力を受け入れる。Ｓ９０２では、操作処理部８０２において、操作入力部８０１で受け入れた操作が会議終了であるかの判定を行い、会議終了であれば終了する。会議終了でない場合は、Ｓ９０３でその操作が会議録再生かどうかの判定を行う。会議録の再生であれば、Ｓ９０４で再生モードに入り、Ｓ９１０へ進む。再生モードについては後述する。Ｓ９０３で操作が会議録の再生でないと判定された場合には、Ｓ９０５で操作が画面クリアであるかどうか判定する。画面クリアならばＳ９０６へ進み、クリアする直前の画面を代表画面として作成し、代表画面蓄積部８０５に蓄積しＳ９０９へ進む。そして、Ｓ９０９で画面をクリアする。
【００２９】
Ｓ９０５で画面クリアでない場合とした場合はＳ９０７へ進む。Ｓ９０７で操作が重要項目選択かどうか判定する。重要項目である場合はＳ９０８で重要項目履歴作成を行う。重要項目は表示部上のテキスト、画像、文章、手書き文字、図形などのオブジェクトから選択できる。Ｓ９１０では操作履歴を作成する。操作履歴は、「会議終了」「会議録再生」「画面クリア」「重要項目選択」のほかに、手書き入力、文字・図形入力、ドキュメントのオープンや編集などが含まれる。次にＳ９１１で実際の操作の実行が行われ、Ｓ９１２で表示部の画像が更新され、Ｓ９０１にもどって次の操作入力の受け入れを行う。
【００３０】
図１０は代表画面を順次表示する場合の代表画面の表示例である。代表画面に右下に重要項目リストが表示される。
【００３１】
図９のＳ９０４の再生モードは、図１０のような再生画面を表示して、再生のプロセスを起動するものである。再生を行う前の範囲指定や再生開始の操作については、図９のフローチャートの中の操作処理に含まれる。再生処理は、図９の処理とは別プロセスで実行し、図９のプロセスから送られる再生停止や再開や終了などの割り込みを受け入れる。
【００３２】
図１１は再生を行った場合の処理のフローチャートである。再生開始の操作を受けてスタートする。Ｓ１１０１で再生範囲を確定する。ユーザが範囲を指定していない場合は、該当するタイムスケールの最初から最後を範囲とする。Ｓ１１０２で指定された開始時間の直前の画面クリアから指定された開始時間までの履歴を順次参照する。この履歴は操作履歴および重要項目履歴であり、記録された時間順に参照される。Ｓ１１０３で履歴があると判定された場合にはＳ１１０４でそれが重要項目履歴あるかどうかの判定を行う。Ｓ１１０４で重要項目履歴であると判定された場合にはＳ１１０６で重要項目リストに追加してＳ１１０５に進む。重要項目履歴でない場合は直接Ｓ１１０５に進む。Ｓ１１０５でその操作を処理しＳ１１０２に戻って処理を繰り返す。Ｓ１１０３で操作履歴がないと判断された時点でＳ１１０７に進み、画像を更新して再生開始時点の画像を再現する。ここまでの変更過程はユーザに見えない。なお、ユーザが時間範囲を指定しないで再生された場合、開始画像は画面がクリアされた状態になる。Ｓ１１０８で選択範囲内の履歴を順次参照する。Ｓ１１０９で履歴が終了し、再生終了時に到達したと判断された時点で再生処理は終了する。履歴が存在する場合は、Ｓ１１１０で重要項目履歴かどうかの判定を行い、重要項目の場合にはＳ１１１２で重要オブジェクトを重要項目リストに追加して、Ｓ１１１１に進む。重要項目履歴でない場合は直接Ｓ１１１１へ進む。Ｓ１１１１で操作処理を行い、Ｓ１１１３で画像を更新し、Ｓ１１０８へ戻り処理を繰り返す。再生終了時には、再生が行われた時間範囲の最後の画像が表示されていることになる。
【００３３】
再生処理が終了した場合、再生モードの終了の割り込みを待ってもよいし、自動で再生モードを終了してもよい。
【００３４】
なお、再生スピードは、操作履歴の中の実行時間を参照して実行時と同じ速度で再現するが、倍速再生などの高速度再生を行ってもよい。
【００３５】
図１２は、図１０の再生画面において再生を行った途中の再生画面の例である。下部のタイムスケールの灰色の部分が全体の時間の中でのどの時間帯の画面かを示す。１２０１は会議を開始し、サブ項目を記述し、カレンダーを呼び出した時点の画面を示し、１２０２は１２０１より後のいくつかの書き込みを行った時点での画面を示す。☆印のついているオブジェクトが重要とされたもので、重要項目リストに追加される。
【００３６】
上述したように、会議中に重要であるもとのして、テキストなどのオブジェクトからユーザが選択した重要オブジェクトを記録し、重要項目リストとして、各代表画面にあわせて表示することで、会議の概要を把握しやすくなる。
【実施例３】
【００３７】
図１３は、実施例３の情報処理装置のブロック図である。１３０１はスタイラスペン、マウス、キーボードなどを使った操作入力部である。１３０２は会議室や参加者などの映像を入力する映像入力部である。１３０３は参加者の発言などの音声を入力する音声入力部である。１３０４は音声を出力する音声出力部である。１３０５は操作入力部１３０１からの入力を受け入れて内部のデータや画像の処理を行う操作処理部である。１３０６は入力された画像や音声を蓄積し、蓄積した画像や音声を管理する動画処理部である。１３０７は画像等を表示する表示部である。１３０８は操作履歴を蓄積する操作履歴蓄積部である。１３０９は代表画像を蓄積する代表画像蓄積部である。１３１０は重要項目の選択履歴を蓄積する重要項目履歴蓄積部である。１３１１は動画情報を蓄積する動画蓄積部である。
【００３８】
実施例３の処理のフローは実施例２と同様であるが、会議室の音声を含む映像を同時に記録し、再生時に同期を取って再生する。図１４は再生を行う場合の表示の例である。映像再生用の画面を別ウィンドウに表示し、会議録再生画面と同期を取りながら再生する。
【００３９】
このように、会議室の映像や発話者の音声を記録し、発言状況チャートとして、各代表画面にあわせて表示することで、発言の流れを把握することが容易になる。
【実施例４】
【００４０】
図１５は、実施例４のブロック図である。１５０１はスタイラスペン、マウス、キーボードなどを使った操作入力部である。１５０２は会議室や参加者などの映像を入力する映像入力部である。１５０３は参加者の発言などの音声を入力する音声入力部である。１５０４は音声を出力する音声出力部である。１５０５は１５０１からの入力を受け入れて内部のデータや画像の処理を行う操作処理部である。１５０６は入力された画像や音声を蓄積し、蓄積した画像や音声を管理する動画処理部である。１５０７は画像等を表示する表示部である。１５０８は映像や音声から発話状況を解析する発話状況解析部である。１５０９は操作履歴を蓄積する操作履歴蓄積部である。１５１０は代表画像を蓄積する代表画像蓄積部である。１５１１は重要項目の選択履歴を蓄積する重要項目履歴蓄積部である。１５１２は発話履歴蓄積部である。１５１３は動画蓄積部である。
【００４１】
実施例４の処理のフローは、実施例２と同様であるが、会議室の映像（画像・音声）を動画で同時に記録し、発話状況の解析を行い、発話履歴を蓄積する。
【００４２】
図１６が発話状況の解析処理のフローである。この例では、参加者が一人一人マイクを付けている状態で、個々の音声ストリームに対して発話区間の検出を行う。音声の収録開始がスタートとなる。Ｓ１６０１で音声ストリームを適宜読み出す。Ｓ１６０２で音声ストリームが終了と判定されると終了する。音声ストリームがあれば、Ｓ１６０３で発話区間検出を行う。
【００４３】
Ｓ１６０４で発声開始と判断されればＳ１６０５で発声開始履歴を作成し、Ｓ１６０１に戻り処理を繰り返す。発声開始でなく、Ｓ１６０６で発声終了と判断されればＳ１６０７の発声終了履歴を作成し、Ｓ１６０１に戻り処理を繰り返す。それ以外ならば履歴に変更は加えず、Ｓ１６０１に戻り処理を繰り返す。
【００４４】
図１７は代表画面を順次表示する場合の代表画面の表示例である。発話状況の解析処理を各参加者について平行して行った結果をまとめて作成した発話履歴から、左下にあるような発話状況タイムチャートを表示する。
【００４５】
図１８は再生を行った場合の処理のフローチャートである。再生開始の操作を受けてスタートする。Ｓ１８０１で再生範囲を確定する。ユーザが範囲を指定していない場合や、該当するタイムスケールの最初から最後を範囲とする。Ｓ１８０２で指定された開始時間の直前の画面クリアから指定された開始時間までの履歴を順次参照する。この履歴は操作履歴、重要項目履歴および発話履歴であり、記録された時間順に参照される。Ｓ１８０３で履歴があると判定された場合には、Ｓ１８０４で発話履歴かどうかの判定を行い、発話履歴の場合にはＳ１７０７で発話状況タイムチャートを更新して、Ｓ１７０２に戻って処理を繰り返す。発話履歴でない場合は、Ｓ１７０５で重要項目履歴かどうかの判定を行い、重要項目履歴の場合にはＳ１７０８で重要オブジェクトを重要項目リストに追加して、Ｓ１７０６に進む。重要項目履歴でない場合は直接Ｓ１７０６へ進む。Ｓ１７０６でその操作を処理しＳ１７０２に戻って順次繰り返す。Ｓ１７０３で操作履歴がないと判断された時点でＳ１７０９に進み、画像を更新して再生開始時点の画像を再現する。ここまでの変更過程はユーザに見えない。なお、ユーザが時間範囲を指定しないで再生された場合、開始画像は画面がクリアされた直後の状態になる。Ｓ１７１０で選択範囲内の履歴を順次参照する。Ｓ１７１１で履歴が終了し、再生終了時に到達したと判断された時点で再生処理は終了する。履歴が存在する場合は、Ｓ１７１２で発話履歴かどうかの判定を行い、発話履歴の場合にはＳ１７１６で発話状況タイムチャートを更新して、Ｓ１７１５に進む。発話履歴でない場合は、Ｓ１７１３で重要項目履歴かどうかの判定を行い、重要項目の場合にはＳ１７１７で重要オブジェクトを重要項目リストに追加して、Ｓ１７１４に進む。重要項目履歴でない場合は直接Ｓ１７１４へ進む。Ｓ１７１４で操作処理を行い、Ｓ１７１５で画像を更新する処理し、Ｓ１７１０に戻って処理を繰り返す。なお、再生スピードは、操作履歴の中の実行時間を参照して実行時と同じスピードで再現するが、倍速再生などの高速度再生を行ってもよい。
【００４６】
図１８は、図６の再生画面において再生を行った途中の再生画面の例である。下部のタイムスケールの灰色の部分が全体の時間の中でのどの時間帯の画面かを示す。１８０１は会議を開始し、サブ項目を記述し、カレンダーを呼び出した時点の画面を示し、１８０２はいくつかの書き込みを行った時点での画面を示す。
【実施例５】
【００４７】
実施例１では、会議の開始から終了までの間に、会議録の再生を行う例について記述したが、終了した会議についての会議録を保存し、任意の会議録を選んで閲覧・再生するようにしてもよい。その場合の再生処理は図５のフローチャートと同じである。
【実施例６】
【００４８】
実施例１では、再生モードの起動時について起こる画面変化は、画面クリアと異なって代表画面となることはないが、再生モードの起動時についても、直前画面を代表画面とし、会議録の再生についても一つの代表画面のサムネイルを作成するようにしてもよい。
【実施例７】
【００４９】
実施例１では、再生スピードは一定のスピードで再生するようにしているが、操作履歴の操作の間の時間をスキップするなどして実際の時間配分と異なる方法で再生してもよい。
【実施例８】
【００５０】
実施例２では、重要オブジェクトとして「文字列」を上げているが、画像や文書を重要オブジェクトとして選択可能である。この場合重要項目リストの表示は、文書や画像のサムネイルやファイル名など、切り替えて表示するようにしてもよい。
【実施例９】
【００５１】
実施例４では、音声や映像の再生は代表画面に付与されたタイムスケールで範囲を指定し、代表画面の変更と同期して再生しているが、発話状況タイムチャートに個別のタイムスケールを付与し、そのタイムスケールで指定された時間帯の映像および音声のみを再生するようにしてもよい。
【実施例１０】
【００５２】
実施例４では、再生スピードにおいて、一定のスピードで再生するようにしているが、無音区間と操作が入力されない区間と映像が変化しない区間が長く続く場合は、スキップして再生するなど、実際の時間配分と異なる再生スピードで再生してもよい。
【実施例１１】
【００５３】
実施例４で発話状況に使用する音声は、個々の参加者ごとにマイクを付けて収録しているが、マイクを一つとし、話者認証を行って話者と発声時間の対応付けを行ってもよい。
【実施例１２】
【００５４】
実施例４では、発話状況の解析に音声情報のみ使用しているが、映像などから画像認識を行い、発話者と発話状況を顔認証と口唇の動き検出から行ってもよいし、音声の解析と併用してもよい。
【実施例１３】
【００５５】
上記実施例では、代表画像として登録するタイミングを画面クリア直前としているが、代表画面登録操作を別に設けてもよい。
【実施例１４】
【００５６】
上述した実施例は、デジタルホワイトボードとそれを使用する会議室の映像を対象としているが、リモート会議システムを経由してのホワイトボードへの操作や、遠隔地の会議室の映像も対象としてもよい。
【００５７】
その場合の、操作入力部はリモート会議システムを経由した入力も対象とし、映像や音声の入力部はリモート会議システムを経由した映像音声も入力とする。
【００５８】
なお本発明の目的は、上記実施例の機能を実現するソフトウェアのプログラムコードを記録した記憶媒体をシステムあるいは装置に供給し、そのシステムあるいは装置のコンピュータがプログラムコードを読出し実行することによっても達成される。
【００５９】
この場合、記憶媒体から読出されたプログラムコード自体が前述した実施形態の機能を実現することになり、そのプログラムコードを記憶した記憶媒体は本発明を構成することになる。
【００６０】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００６３】
【図１】実施例１の情報処理装置のブロック図である。
【図２】実施例におけるハードウェア構成図である。
【図３】実施例１の処理を示すフローチャートである。
【図４】実施例１の会議録の表示例である。
【図５】実施例１の会議録の表示例である。
【図６】実施例１の処理の一部を示すフローチャートである。
【図７】実施例１の会議録の表示例である。
【図８】実施例２の情報処理装置のブロック図である。
【図９】実施例２の処理を示すフローチャートである。
【図１０】実施例２の会議録の表示例である。
【図１１】実施例２の処理の一部を示すフローチャートである。
【図１２】実施例２の会議録の表示例である。
【図１３】実施例３の情報処理装置のブロック図である。
【図１４】実施例３の会議録の表示例である。
【図１５】実施例４の情報処理装置のブロック図である。
【図１６】実施例４の処理の一部を示すフローチャートである。
【図１７】実施例４の会議録の表示例である。
【図１８】実施例４の処理の一部を示すフローチャートである。
【図１９】実施例４の会議録の表示例である。
【符号の説明】
【００６４】
１０１  スタイラスペン、マウス、キーボードなどを使った操作入力部
１０２  １０１からの入力を受け入れ内部のデータや画像の処理を行う操作処理部
１０３  画像表示部
１０４  操作履歴を蓄積する操作履歴蓄積部
１０５  代表画像を蓄積する代表画像蓄積部
【図１】
2007066018.tif 000003
【図２】
2007066018.tif 000004
【図３】
2007066018.tif 000005
【図４】
2007066018.tif 000006
【図５】
2007066018.tif 000007
【図６】
2007066018.tif 000008
【図７】
2007066018.tif 000009
【図８】
2007066018.tif 000010
【図９】
2007066018.tif 000011
【図１０】
2007066018.tif 000012
【図１１】
2007066018.tif 000013
【図１２】
2007066018.tif 000014
【図１３】
2007066018.tif 000015
【図１４】
2007066018.tif 000016
【図１５】
2007066018.tif 000017
【図１６】
2007066018.tif 000018
【図１７】
2007066018.tif 000019
【図１８】
2007066018.tif 000020
【図１９】
2007066018.tif 000021